(57)【要約】【課題】  本発明は、従来にない作用効果を発揮する画期的な洗浄液噴射装置を提供することを目的とする。【解決手段】  建築物の壁面や車のボディーなどの洗浄したい洗浄面１に洗浄液を噴射するためのものであって、先端に開口部２ａを有するカバー体２内に洗浄液噴射部３が設けられ、このカバー体２の開口部２ａの周縁には、洗浄面１に当接する適度な可撓性を有した当接部４が設けられたものである。【選択図】      図１
2005169262.tif 000002
【特許請求の範囲】
【請求項１】
建築物の壁面や車のボディーなどの洗浄したい洗浄面に洗浄液を噴射するためのものであって、先端に開口部を有するカバー体内に洗浄液噴射部が設けられ、このカバー体の開口部の周縁には、洗浄面に当接する適度な可撓性を有した当接部が設けられていることを特徴とする洗浄液噴射装置。
【請求項２】
請求項１記載の洗浄液噴射装置において、前記当接部は、カバー体内で飛散している洗浄液の通過は阻止し、洗浄面を流れる洗浄液の通過は許容するように構成されていることを特徴とする洗浄液噴射装置。
【請求項３】
請求項１，２いずれか１項に記載の洗浄液噴射装置において、前記当接部は、線材を密集状態に設けて構成されていることを特徴とする洗浄液噴射装置。
【請求項４】
請求項１〜３いずれか１項に記載の液体噴射装置において、前記カバー体は先端に開口部を有する円錐形状であり、洗浄液噴射部はこの円錐形状のカバー体の頂点位置内側に設けられていることを特徴とする液体噴射装置。
【請求項５】
請求項１〜４いずれか１項に記載の洗浄液噴射装置において、前記洗浄液噴射部は、洗浄液を霧状に噴射し得るように構成されていることを特徴とする洗浄液噴射装置。
【請求項６】
請求項１〜５いずれか１項に記載の洗浄液噴射装置において、前記洗浄液噴射部には洗浄液を圧送する手動加圧式の洗浄液圧送ポンプが連設されていることを特徴とする洗浄液噴射装置。
【発明の詳細な説明】
【技術分野】
【０００１】
本発明は、従来にない画期的な洗浄液噴射装置に関するものである。
【背景技術】
【０００２】
従来から、オフィスビルや高層マンションなどの建築物の外壁部の洗浄は、例えばホースから放出する洗浄水を建築物の外壁部に吹付けて行なうのが一般的であるが、この洗浄水が風にあおられて建築物の周囲に飛散してしまう為、この洗浄作業に際しては、予め建築物の周囲に足場を組み、この足場の周囲にネットを配して建築物の周囲全体を覆ったりしている。
【発明の開示】
【発明が解決しようとする課題】
【０００３】
ところが、上述のような水よけの為の足場及びネットの設置には材料費や人件費がかかるため非常にコスト高であり、しかも、これらの足場及びネットの設置作業及び撤去作業は非常に時間がかかってしまい、これが洗浄作業全体の工期遅延の原因となっている。
【０００４】
本出願人は、上述の問題点に着目し、従来にない画期的な作用効果を発揮する洗浄液噴射装置を提供する。
【課題を解決するための手段】
【０００５】
添付図面を参照して本発明の要旨を説明する。
【０００６】
建築物の壁面や車のボディーなどの洗浄したい洗浄面１に洗浄液を噴射するためのものであって、先端に開口部２ａを有するカバー体２内に洗浄液噴射部３が設けられ、このカバー体２の開口部２ａの周縁には、洗浄面１に当接する適度な可撓性を有した当接部４が設けられていることを特徴とする洗浄液噴射装置に係るものである。
【０００７】
また、請求項１記載の洗浄液噴射装置において、前記当接部４は、カバー体２内で飛散している洗浄液の通過は阻止し、洗浄面１を流れる洗浄液の通過は許容するように構成されていることを特徴とする洗浄液噴射装置に係るものである。
【０００８】
また、請求項１，２いずれか１項に記載の洗浄液噴射装置において、前記当接部４は、線材10を密集状態に設けて構成されていることを特徴とする洗浄液噴射装置に係るものである。
【０００９】
また、請求項１〜３いずれか１項に記載の液体噴射装置において、前記カバー体２は先端に開口部２ａを有する円錐形状であり、洗浄液噴射部３はこの円錐形状のカバー体２の頂点位置内側に設けられていることを特徴とする液体噴射装置に係るものである。
【００１０】
また、請求項１〜４いずれか１項に記載の洗浄液噴射装置において、前記洗浄液噴射部３は、洗浄液を霧状に噴射し得るように構成されていることを特徴とする洗浄液噴射装置に係るものである。
【００１１】
また、請求項１〜５いずれか１項に記載の洗浄液噴射装置において、前記洗浄液噴射部３には洗浄液を圧送する手動加圧式の洗浄液圧送ポンプ５が連設されていることを特徴とする洗浄液噴射装置に係るものである。
【発明の効果】
【００１２】
本発明は上述のように構成したから、洗浄液の周囲への飛散を確実に防止し、洗浄面へ良好な洗浄液の噴射作業が行えるなど極めて商品価値の高い画期的な洗浄液噴射装置となる。
【発明を実施するための最良の形態】
【００１３】
好適と考える本発明の最良の形態を、図面に基づいて本発明の作用効果を示して簡単に説明する。
【００１４】
本発明は、洗浄したい洗浄面１へ洗浄液を噴射するに際し、カバー体２の開口部２ａの周縁に設けた当接部４を洗浄面１に当接させ、この状態で洗浄液噴射部３から洗浄液を噴射させると、この洗浄液が噴射される部位は当接部４とカバー体２で覆われる為、該洗浄液の周囲への飛散が防止される。
【００１５】
この当接部４は、適度な可撓性を有する為、例えば洗浄面１の凹凸に応じて形状変形することになり、より一層洗浄液が周囲に飛散しにくい状態が得られることになり、しかも、洗浄面１を傷つけにくい。
【００１６】
更に、当接部４として、線材10を密集状態に設けた構成の当接部４を採用した場合には、カバー体２内で飛散している洗浄液の通過は阻止されるが、洗浄面１を流れる洗浄液の通過は許容されることになり、よって、カバー体２内に洗浄液が溜まってしまうような問題が生じることが確実に防止されることになる。
【００１７】
以上のように、本発明は、従来にない画期的な作用効果を発揮し、極めて商品価値の高いものになる。
【実施例】
【００１８】
本発明の具体的な実施例について図面に基づいて説明する。
【００１９】
本実施例は、建築物の壁面や車のボディーなどの洗浄したい洗浄面１に洗浄液を噴射するためのものである。尚、本実施例は、オフィスビルや高層マンションなどの建築物の外壁洗浄作業で使用される洗浄液噴射装置として構成したが、例えば自動車洗浄用の洗浄液噴射装置として構成するなど、洗浄液を噴射させてその飛散を防止したい要求が生じ得る場面で使用される装置であれば適宜設計変更し得るものであり、本実施例の適用範囲は多岐にわたるものである。
【００２０】
具体的には、本実施例は、先端に開口部２ａを有するカバー体２内に洗浄液噴射部３が設けられ、このカバー体２の開口部２ａの周縁には、洗浄面１に当接する適度な可撓性を有した当接部４が設けられたもので、洗浄液噴射部３には管状部７ａを介して管状の手持ち本体７が連設され、この手持ち本体７にはホース６を介して洗浄液圧送ポンプ５が連設されている。従って、洗浄液圧送ポンプ５から圧送される洗浄液は管状の手持ち本体７を通過し、洗浄液噴射部３から噴射される。
【００２１】
洗浄液圧送ポンプ５は、図１に図示したように洗浄液収納容体５ａの上部に設けたハンドル５ｂを上下移動させることで、当該洗浄液収納容体５ａ内を加圧し得るように構成されており、手動加圧式の洗浄液圧送ポンプ５として構成されている。符号５ｃは圧抜き部、５ｄは携帯用の肩掛け部である。
【００２２】
手持ち本体７は、図１に図示したようにその基端部に前述した洗浄液圧送ポンプ５から圧送される洗浄液の流通を規制する噴射操作部９が設けられており、この噴射操作部９のボタン９ａを押すことにより、図示省略の開閉弁を開放して洗浄液噴射部３から所望のタイミングで洗浄液を噴射し得るように構成されている。
【００２３】
また、手持ち本体７の先端部に突設された管状部７ａには洗浄液噴射部３としてのノズル体８が設けられている。
【００２４】
このノズル体８は、図２に図示したように洗浄液を霧状（ミスト状）に噴射し得るように構成されており、その先端部に設けた回動摘まみ部８ａを回動させることで噴射孔の面積や数などの噴射条件を切り替えることができ、洗浄液の噴射状態を霧状態の他、シャワー状態やストレート状態などに切り替えることができる。
【００２５】
また、管状部７ａには、前述した洗浄液噴射部３（ノズル体８）の周囲を囲むカバー体２が設けられている。
【００２６】
このカバー体２は、図１に図示したように適宜な合成樹脂製の部材（透明の樹脂）で形成したものであり、先端側程径大となる円錐形状に形成され、その先端部には開口部２ａが形成されている。
【００２７】
このカバー体２は、その頂点位置において手持ち本体７の管状部７ａと連設されており、従って、管状部７ａの先端に設けた洗浄液噴射部３がカバー体２の頂点位置内側部に位置することになる。よって、洗浄液噴射部３から噴射された洗浄液や洗浄面１に衝突して跳ね返った霧状の洗浄液などの飛散が防止され、このカバー体２の内面２ｂに付着した洗浄液は、該カバー体２の内面２ｂ（テーパー面）を伝って流下する。
【００２８】
また、カバー体２は、その開口部２ａの周縁に当接部４が設けられている。
【００２９】
この当接部４は、適度な可撓性を有する多数の線材10（ポリエステル製のブラシ材、刷毛）を開口部２ａの全周に密集状態で設けたものである。
【００３０】
従って、この当接部４により、洗浄液噴射部３から噴射された洗浄液や洗浄面１に衝突して跳ね返った霧状の洗浄液などの飛散が防止される。
【００３１】
また、この当接部４は、線材10で構成されている為、洗浄面１の目地などの凹凸や隙間などに応じて入り込むことができ、よって、洗浄面１と当接部４４の先端との間からの洗浄液の当接部４外への飛散も確実に防止され、更に、洗浄面１への洗浄液の噴射に際して洗浄面１を擦ることでブラッシング作用も発揮されることになる。
【００３２】
ところで、当接部４は、前述したように線材で構成されるから、前述したようにカバー体２内で飛散する洗浄液の通過（当接部４外への飛散）は阻止されるが、更に、洗浄面１を流れる洗浄液の通過は許容される。
【００３３】
即ち、仮に当接部４が全く通水性のないもの、例えば板状のものであった場合、カバー体２内で飛散している洗浄液の通過（当接部４を通過しての外への飛散）は防止し得るものの、洗浄面１を流れ落ちる洗浄液やカバー体２内を流れ落ちる洗浄液の排出（通過）が阻止され、よって、該カバー体２内に洗浄液が溜り易く、この溜まった洗浄液が洗浄面１からカバー体２を離した際に一気に下方に落ちてしまうことになる。
【００３４】
この点、本実施例は、当接部４として線材10から成る当接部４を採用することで、カバー体２内で飛散する球（たま）のような洗浄液Ｗ１は線材10に引っ掛かることで外への飛散が防止され、一方、洗浄面１やカバー体２の内面に付着することで流れとなった洗浄液Ｗ２は線材10の間を伝って流れ落ち、下方部分の当接部４を通過してカバー体２外に排出され、よって、前述したような問題は可及的に防止されることになる（図２参照）。
【００３５】
つまり、この当接部４としては、カバー体２内で飛散している洗浄液の通過は阻止し、洗浄面１を流れるもはや飛散することのない状態の洗浄液については通過を許容する構成であれば良く、例えば板状のもの（ゴム板）を採用しても洗浄液が溜まり易い部分（下方部分）に排水機能を発揮するスリットや孔などを設けるようにしても良い。
【００３６】
以上の構成からなる本装置を使用して建築物の外壁洗浄作業を行う場合を説明する。
【００３７】
この外壁洗浄作業は、洗浄面１に洗浄水を吹付けて付与する洗浄水付与工程と、洗浄剤を塗布する洗浄剤付与工程と、再び洗浄水を吹付けて洗浄面１に浮いた汚れを洗い流す仕上げ工程を経て行われるが、この洗浄水付与工程及び仕上げ工程における洗浄面１に洗浄水を噴射させる際に洗浄液噴射装置は使用される。
【００３８】
具体的には、洗浄面１に当接部４を当接させながら該洗浄面１に洗浄液噴射部３から洗浄液を噴射すると（この際、円を描くようにして当接部４を洗浄面１に擦りつけながら洗浄液を噴射させると効果的である。）、例えば洗浄液噴射部３から噴射された直後の洗浄液や、例えば洗浄面１にぶつかって跳ね返った洗浄液といったカバー体２内で飛散している洗浄液が、カバー体２の開口部２ａと洗浄面１との間隙から周囲へ飛散しようとしても、これらの洗浄液の噴射部位を覆うカバー体２と当接部４によってその飛散が防止されることになる。
【００３９】
本実施例は上述のように構成したから、洗浄液が飛散したり、落下したりすることが可及的に防止され、よって、従来のように建築物全体をネットで覆うために足場を組んだり、ネットを張ったり、その他にも水受け板を設けたりするなどの水よけ構造体の設置作業は不要となり、洗浄作業が非常にコスト安であり、しかも、飛躍的に洗浄作業全体の工期を短縮することができることになる。
【００４０】
また、本実施例は、当接部４は、カバー体２内で飛散する洗浄液の通過は阻止し、洗浄面１を流れる洗浄液の通過は許容するように構成されているから、より一層良好な洗浄液の噴射作業が行えることになる。
【００４１】
また、本実施例は、当接部４は、カバー体２の開口部２ａに多数の線材を密集状態に設けて構成されているから、カバー体２内で飛散している洗浄液の通過は阻止し、洗浄面１を流れる洗浄液の通過は許容するといった秀れた作用効果を発揮し、しかも、洗浄面１を傷めてしまう問題もなく、コスト安にして量産性に秀れることにもなる。
【００４２】
また、本実施例は、洗浄液噴射部３は、洗浄液を霧状に噴射し得るように構成されているから、雑巾・ウエス等に洗浄液を浸して洗浄面１へ洗浄液を塗布しようとする場合に比し、洗浄面１の形状に応じて洗浄液を隅々まで行き渡らせることができ、しかも、洗浄液の消費を可及的に抑制することができる。
【００４３】
また、本実施例は、洗浄液噴射部３には洗浄液を圧送する手動加圧式の洗浄液圧送ポンプ５が連設されているから、特別な動力源を必要とせず何処でも簡単に使用することができ、しかも、装置自体は勿論、洗浄作業がコスト安に行えることになる。
【００４４】
また、本実施例は、洗浄液噴射部３を先端部に設けた手持ち本体７に当該洗浄液噴射部３から洗浄液を噴射せしめる噴射操作部９を設けたから、作業者は所望の部位へ洗浄液を噴射させることができることになる。
【００４５】
また、本実施例は、例えばバケツに入れた洗浄剤や洗浄水を雑巾等に浸して洗浄面１に付与する場合に比し、常に新しい（綺麗な）洗浄液や洗浄水を洗浄面１に付与することができ、しかも、バケツを用意する必要もない。
【００４６】
尚、本発明は、本実施例に限られるものではなく、各構成要件の具体的構成は適宜設計し得るものである。
【図面の簡単な説明】
【００４７】
【図１】本実施例の使用状態説明図である。
【図２】本実施例に係る要部の説明断面図である。
【符号の説明】
【００４８】
１  洗浄面
２  カバー体
２ａ  開口部
３  洗浄液噴射部
４  当接部
５  洗浄液圧送ポンプ
10  線材
【図１】
2005169262.tif 000003
【図２】
2005169262.tif 000004